(57)【要約】【課題】１回の試験で複数枚のプリント回路板に静電気を同時印加させてリードタイムの短縮化が図れるようにした新規な静電気放電試験用治具を提供する。【解決手段】電子部品３を実装したプリント配線板２について静電気放電試験を行う際に次記構成の試験用治具を用い、１回の試験で複数枚のプリント配線板に静電気を同時印加させるようにするものとし、被試験対象物の載置台として用意した導電プレート５の板上一角に静電気印加点Ｐを設定した上で、該静電気印加点からそれぞれ等距離ずつ離れた位置にプリント配線板を起立姿勢に支える複数のプリント板支持具６を放射状に並べて分散配備するとともに、静電気印加点に位置を合わせて静電気発生ガン４をセットするガン保持具７を備え、各支持具にプリント配線板を１枚ずつその配線パターン２ａが導電プレートと導通接触するような向きに起立させた姿勢で装荷し、この状態で静電気発生ガンから前記静電気印加点に静電気を放電し、導電プレートを介して板上に載置した複数枚の各プリント配線板に一括して静電気を印加させるようにする。【選択図】        図１
2005201706.tif 000002
【特許請求の範囲】
【請求項１】
プリント配線板に電子部品を実装したプリント回路板を被試験対象物として、前記プリント配線板に外部から静電気を印加して静電気破壊耐量を試験する際に用いる静電気放電試験用治具であって、
被試験対象物を載置する導電プレートの板上に静電気印加点を設定した上で、該静電気印加点からそれぞれ等距離ずつ離れた位置にプリント配線板を起立姿勢に保持する複数の支持具を分散配備した構成になり、各支持具にプリント配線板を１枚ずつその配線パターンが導電プレートと導通接触するような向きに装荷した上で、静電気発生ガンを用いて前記静電気印加点に静電気を放電し、導電プレートを介して板上に保持した複数枚の各プリント配線板に一括して静電気を印加するようにしたことを特徴とする静電気放電試験用治具。
【請求項２】
請求項１記載の静電気放電試験用治具において、導電プレート上に設定した静電気印加点を基準に複数の支持具を放射状に並べて分散配置したことを特徴とする静電気放電試験用治具。
【請求項３】
請求項１記載の静電気放電試験用治具において、導電プレートにその静電気印加点に位置決めして電気発生ガンをセットするガン保持具を備えたことを特徴とする静電気放電試験用治具。
【発明の詳細な説明】
【技術分野】
【０００１】
本発明は、プリント配線板に電子部品を実装したプリント回路板を被試験対象物とした静電気放電試験に適用する試験用治具に関する。
【背景技術】
【０００２】
プリント配線板に電子部品（ＩＣなど）を実装した電子デバイスは、その取り扱い時，あるいは実使用時に人体，周囲機器などに帯電した静電気が放電して誤動作を引き起こしたり、実装電子部品を破壊したりすることがある。
そこで、電子デバイスの静電気破壊耐量を評価するための試験方法がＩＥＣ（国際電気標準委員会）で規格化されており、その具体的な試験方法として、静電気発生ガンで発生させた静電気を被試験対象物である前記デバイスのプリント配線板に気中放電，ないし接触放電させた上で、デバイスの動作テストによりその静電気破壊耐量を評価，確認する静電気放電試験方法が知られている（例えば、特許文献１参照）。
図３は、前記のプリント回路板を被試験対象物として従来から実施している静電気放電試験方法の説明図であり、図において、１はプリント配線板２に電子部品３を実装したプリント回路板、４は静電気放電試験に用いる静電気発生ガンである。なお、静電気発生ガン４の構成，使用方法については周知でありここではその説明は省略する。
【０００３】
そして、プリント回路板１の静電気放電試験を行うには、被試験対象物を一枚ずつグランドから絶縁された作業台の上に載せ、この状態で静電気発生ガン４の放電電極４ａをプリント配線板２の配線パターン２ａに近接もしくは押し当ててガンで発生させた静電気を規格にしたがった回数だけ繰り返して放電させる。静電気の放電が済んだプリント回路板１は次の動作試験工程に移し、ここで電子回路が正常に機能するか否かをテストしてその静電気破壊耐量を評価する。
【特許文献１】特開平８−１４６１００号公報
【発明の開示】
【発明が解決しようとする課題】
【０００４】
ところで、前記した従来の静電気放電試験方法では、被試験対象物への静電気印加を一枚ずつ行って枚葉処理しているためにロスタイムが大きく、量産された多数のプリント回路板を試験するには作業に手間と時間が掛かることから、その改善策が望まれている。
本発明は上記の点に鑑みななれたものであり、その目的は試験工程の能率改善を狙いに、１回の試験で複数枚のプリント回路板に静電気を同時印加させてリードタイムの短縮化が図れるようにした新規な静電気放電試験用治具を提供することにある。
【課題を解決するための手段】
【０００５】
上記目的を達成するために、本発明によれば、プリント配線板に電子部品を実装したプリント回路板を被試験対象物として、前記プリント配線板に外部から静電気を印加して静電気破壊耐量を試験する際に用いる静電気放電試験用治具を次記のように構成する。
すなわち、被試験対象物を載置する導電プレートの板上一角に静電気印加点を設定した上で、該静電気印加点からそれぞれ等距離ずつ離れた位置にプリント配線板を起立姿勢に支える複数の支持具を分散配備し、各支持具にプリント配線板を１枚ずつその配線パターンが導電プレートと導通接触するような姿勢に起立装荷した上で、静電気発生ガンを用いて前記静電気印加点に静電気を放電し、導電プレートを介して板上に載置した複数枚の各プリント配線板に一括して静電気を印加するものとし（請求項１）、具体的には次記のような態様で構成する。
【０００６】
（１）前記の導電プレート上に設定した静電気印加点を基準に複数の支持具を放射状に並べて分散配置する（請求項２）。
（２）前記の導電プレートに、その静電気印加点に位置決めして電気発生ガンをセットするガン保持具を備える（請求項３）。
【発明の効果】
【０００７】
上記構成の治具を用いることにより、１回の試験で同時に複数枚のプリント回路板に静電気を印加して静電気放電試験を行うことができ、これにより従来の枚葉処理方式と比べてリードタイムの大幅な短縮化が図れる。しかも、被試験対象物の支持具は導電プレート上に設定した静電気印加点を基準として等距離の位置に分散して配備したことにより、各支持具に装荷して導体プレートに載置したプリント配線板に対して、全て同一条件で静電気発生ガンから静電気を印加して試験を行うことができる。
【発明を実施するための最良の形態】
【０００８】
以下、本発明の実施の形態を図１，図２に示す実施例に基づいて説明する。なお、実施例の図中で図３に対応する部材には同じ符号を付してその説明は省略する。
すなわち、図示実施例においては、導電プレート５にプリント板支持具６およびガン保持具７を組み付けた構成になる試験用治具を用意し、プリント回路板１の静電気放電試験を行う際には前記導電プレート５の上に複数枚のプリント回路板１を図示のように配置した上で、静電気発生ガン４から各枚のプリント回路板に静電気を同時に印加して試験を行うものとする。
ここで、導電プレート５はアルミなどの良導電材で作られた平板であり、その板上の一角に符号Ｐで表した静電気印加点を設定した上で、この静電気印加点Ｐを基準に同じ距離Ｌだけ離れた位置に複数のプリント板支持具６を放射状に並べて分散配備するとともに、前記静電気印加点Ｐに合わせて導電プレート５の側縁には静電気発生ガン４をセットするガン保持具７を備えている。なお、プリント板支持具６は樹脂などの絶縁物で作られたコ字形の枠で、図示のように方形状のプリント配線板２のコーナー部を枠に差し込んで起立姿勢に支えるようにしている。また、この試験用治具はグランドから絶縁された試験用の作業台（例えば木製のテーブル）の上に載せて使用するものとする。
【０００９】
そして、プリント回路板１の静電気放電試験を行う際には、図示のように各支持具６に一枚ずつプリント配線板２を装荷し、かつその配線パターン２ａの端部が導電プレート５の板面に導通接触するような向きに起立させる。また、静電気発生ガン４の先端ヘッドをガン保持具７に挿入し、その放電電極４ａが前記した静電気印加点Ｐに対峙するようにセットしておく。
続いて、静電気発生ガン４の放電スイッチをＯＮにし、あらかじめ静電気試験の規格に合わせて設定した電圧，繰り返し回数で静電気を導電プレート５に向けて放電する。これにより、導電プレート５を介して支持具６に保持した複数枚のプレート配電板２に静電気が同時に印加される。この場合に各プレート配線板２は導電プレート上に設定した静電気印加点Ｐから等距離に位置しているので、同じ電圧が印加されることになる。
【００１０】
つまり、１回の静電気放電試験で、同時に複数枚のプリント回路板１を同じ条件で試験することができ、これにより従来の一枚ずつ試験を行う従来の枚葉処理方式と比べてリードタイムの大幅な短縮化が図れる。
【図面の簡単な説明】
【００１１】
【図１】本発明の実施例による静電気放電試験用治具の構成図で、治具に被試験対象物を装荷した状態を表す斜視図
【図２】図１の平面図
【図３】プリント回路板を被試験対象物とした従来の静電気放電試験方法の説明図
【符号の説明】
【００１２】
１    プリント回路板（被試験対象物）
２    プリント配線板
２ａ    配線パターン
３    電子部品
４    静電気発生ガン
５    導電プレート
６    プリント板支持具
７    ガン保持具
【図１】
2005201706.tif 000003
【図２】
2005201706.tif 000004
【図３】
2005201706.tif 000005